(57)【要約】【課題】  除湿効果が十分に得られる空気流通式敷寝具とする。【解決手段】  基材に水分吸着剤が塗布された除湿機１４によって流入空気を除湿し、ベッドパッド１１が就寝に使用されていないときに、除湿機１４を加熱して吸着された水分を蒸発させ、除湿機１４の除湿能力を回復させる構成とした。【選択図】  図３
2011104215.tif 000002
【特許請求の範囲】
【請求項１】
ベッドに載置されたマットレスの垂直方向上方面に敷かれて就寝者が就寝し、内部に空気流通路を有するベッドパッドと、
寝室内の空気を吸入して所定湿度に調節するとともに前記ベッドパッドの内部に所定湿度の空気を流入させる除湿送風ユニットと、
前記除湿送風ユニットと前記ベッドパッドとを連結して前記除湿送風ユニットから前記ベッドパッドに所定湿度の空気を流入させるダクトと、
前記除湿送風ユニットの作動を制御する制御装置とを備えた空気流通式敷寝具において、
前記除湿送風ユニットは、基材に水分吸着剤が塗布された除湿機によって流入空気を所定湿度に除湿し、所定湿度の空気が前記ベッドパッドに形成された複数の空気放出口から就寝者に向けて放出され、前記ベッドパッドが就寝に使用されていないときに、前記除湿機を加熱して吸着された水分を蒸発させ、前記除湿機の除湿能力を回復させることを特徴とする空気流通式敷寝具。
【請求項２】
就寝開始から所定時間経過したとき、前記制御装置によって前記除湿送風ユニットが作動停止するように制御される請求項１に記載の空気流通式敷寝具。
【発明の詳細な説明】
【技術分野】
【０００１】
本発明は、敷寝具内に空気を流入させ、就寝時の就寝者の発汗による湿気を除去する空気流通式敷寝具に関するものである。
【背景技術】
【０００２】
従来、この種の空気流通式敷寝具としては、特許文献１に記載されたものがある。この特許文献１に示される空気流通式敷寝具は、通気性が比較的小さく断熱性の高い布地で芯材を包み、この芯材で形成された通風路に、空気を供給する送風装置を取り付けたベッドパッドを有する。
【先行技術文献】
【特許文献】
【０００３】
【特許文献１】特開平１１−２６６９６８号公報
【発明の概要】
【発明が解決しようとする課題】
【０００４】
しかしながら、特許文献１に示す空気流通式敷寝具は、ベッドパッドの内部に寝室内の空気をそのまま供給する構成であり、また就寝者とベッドパッドの内部とが断熱性の高い布地で隔離されているため、除湿効果が十分でないという問題がある。
【０００５】
そこで、上記した問題点に鑑み、本発明の課題は、十分な除湿効果が得られる空気流通式敷寝具を提供することである。
【課題を解決するための手段】
【０００６】
上記課題を解決するため講じた手段は、ベッドに載置されたマットレスの垂直方向上方面に敷かれて就寝者が就寝し内部に空気流通路を有するベッドパッドと、寝室内の空気を吸入して所定湿度に調節するとともに前記ベッドパッドの内部に所定湿度の空気を流入させる除湿送風ユニットと、前記除湿送風ユニットと前記ベッドパッドとを連結して前記除湿送風ユニットから前記ベッドパッドに所定湿度の空気を流入させるダクトと、前記除湿送風ユニットの作動を制御する制御装置とを備えた空気流通式敷寝具において、前記除湿送風ユニットは、基材に水分吸着剤が塗布された除湿機によって流入空気を所定湿度に除湿し、所定湿度の空気が前記ベッドパッドに形成された複数の空気放出口から就寝者に向けて放出され、前記ベッドパッドが就寝に使用されていないときに、前記除湿機を加熱して吸着された水分を蒸発させ、前記除湿機の除湿能力を回復させる空気流通式敷寝具である。
【０００７】
また、この場合、就寝開始から所定時間（１〜２時間）経過したとき、前記制御装置によって前記除湿送風ユニットが作動停止するように制御されると良い。
【０００８】
なお、「垂直方向」とは、ベッドが設置される水平面に対して「直角」の方向を意味する。以下、同様である。
【発明の効果】
【０００９】
本発明によれば、ベッドパッドの内部に流入する空気が流入前に所定湿度に調節され、ベッドパッドの垂直方向上方面に設けられた複数の空気放出口から所定の湿度に調節された空気が外部に放出され、その空気が直接就寝者に触れるため、十分な除湿効果が得られる。
【００１０】
この場合、発汗量が最も多い就寝開始から所定時間（１〜２時間）に限定して除湿すれば、連続除湿に比べ運転コストが抑えられる。
【図面の簡単な説明】
【００１１】
【図１】本発明に係る空気流通式敷寝具に就寝者が仰臥していることを示す平面図である。
【図２】図１におけるＡ視側面図である。
【図３】本発明に係る空気流通式敷寝具の詳細を示した平面図である。
【図４】図３におけるＡ‐Ａ断面図である。
【図５】除湿機を示す斜視図である。
【図６】本発明に係る空気流通式敷寝具の作動パターンを示すグラフである。
【発明を実施するための形態】
【００１２】
以下、本発明の実施形態の空気流通式敷寝具４を図面に基づいて説明する。
【００１３】
図１および図２に示すように、ベッド２のフレーム２ａ上にマットレス３が載置され、さらにマットレス３の上方面（垂直方向上方面）３ａ上にベッドパッド１１が載置されている。ベッドパッド１１は、その４辺がマットレス３の上方面３ａの４辺に重なるように載置される。したがって、ベッドパッド１１の面積は、マットレス３の上方面３ａの面積とほぼ同じである。
【００１４】
図１および図２は、就寝者がベッドパッド１１の長手方向に仰臥して就寝する様子を示している。この状態において、就寝者の背中、腰、臀部の少なくともいずれかがベッドパッド１１の上方面１１ａに形成された複数の空気放出口１１ｂに重なる。
【００１５】
図１および図２に示すように、ベッドパッド１１は、扁平な直方体形状を呈し、その側面１１ｃには、所定湿度の空気をベッドパッド１１内に導入するための空気流入口１１ｄが設けられている。空気流入口１１ｄは、ダクト１２で除湿送風ユニット１３に接続される。なお、本実施形態では、空気流入口１１ｄは、側面１１ｃ設けられているが、ベッドパッド１１の就寝者の足側の面１１ｅに１箇所ないし複数箇所設けてもよい。
【００１６】
図３に示すように、除湿送風ユニット１３は、送風ファン１４が空気吸入口１３ａからフィルタ１５を介して空気を吸い込み、その空気を基材にポリアクリル酸ナトリウム等の水分吸着剤が塗布された除湿機１６に接触させて除湿し、所定湿度の空気とする。除湿空気の湿度は、送風量が１５ｍ３のとき５０〜５５％が望ましい。その後、空気排出口１３ｂからダクト１２を介して空気流入口１１ｄに空気を流入させ、空気流入口１１ｄからベッドパッド１１の内部に空気を送り込む。なお、ベッドパッド１１が就寝に使用されていないときに、除湿機１６のハウジング１６ａに密着したヒータ１７が除湿機１６を加熱し、吸着された水分を蒸発させて除湿機１６の除湿能力を回復させる。除湿能力を回復させる作動パターンを「再生モード」と称する。
【００１７】
図５に示すように、除湿機１６の基材１６ｂは、アルミニウム合金等からなる三角波断面形状の板材を積層して形成され、三角柱状の空洞が空気通路１６ｃとなる。前述したように、機材１６ｂにポリアクリル酸ナトリウム等の水分吸着剤１６ｄが塗布されて除湿機１６が構成される。なお、積層される板材は、その断面形状がハニカム形状でもよく、また矩形形状でもよい。
【００１８】
水分吸着剤１６ｄが水分を吸着すると温度が上昇するため、図３に示すように、除湿機１６内部に冷却装置１８が設けられている。
【００１９】
図４に示すように、ベッドパッド１１は、カバー上布地１１ｆとカバー下布地１１ｇとカバー側面布地１１ｈとからなり、内部が空洞となっている。その空洞に立体メッシュ（空気流通路）１１ｉが充填されている。カバー下布地１１ｇとカバー側面布地１１ｈは、ポリウレタン、ポリエステル等であるが、カバー上布地１１ｆは、内部に充填される立体メッシュより目の細かい立体メッシュである。空気流入口１１ｄから流入する所定湿度の空気が内部の立体メッシュ１１ｉの隙間を流通する。ただし、図３に示すように、本実施形態のベッドパッド１１は、ベッドパッド１１の長手方向中央部１１ｊのみ空洞となって立体メッシュ１１ｉが充填され、頭側１１ｋと足側１１ｍには空洞はなく、これらの部分は、通常のパッド地となっている。
【００２０】
図３に示すように、ベッドパッド１１のカバー上布地１１ｆには、ベッドパッド１１の内部に流入した所定湿度の空気をベッドパッド１１の外部へ放出するための複数の空気放出口１１ｂが設けられている。
【００２１】
就寝者がベッドパッド１１の長手方向に仰臥しているとき、複数の空気放出口１１ｂは、就寝者の背中、腰、臀部の少なくともいずれかがベッドパッド１１の複数の空気放出口１１ｂに重なるように形成されている。また、空気放出口１１ｂは、ベッドパッド１１の長手方向中心軸に近いほどその開口径が大きく形成され、就寝者の体幹部に対してより大量の空気を放出する。
【００２２】
就寝者がベッドパッド１１の上に仰臥しているか否かの検出には、公知の圧力センサ、生体センサ、体重センサやスイッチ等を用いることができる。また、就寝者が仰臥した状態で、睡眠を開始したか否かは、人体から発せられる信号（例えば、脳波、脈拍等）を検出する睡眠開始検出手段（生体センサ、スイッチ等）を用いることが可能であり、ここでは詳細な説明は省略する。
【００２３】
ここで、空気流通式敷寝４の作動パターンについて説明する。
【００２４】
図６に示すように、最も発汗量の多い就寝開始から所定時間（例えば、これに限定されないが、１〜２時間）の間、制御装置７によって除湿送風ユニット１３が作動するように制御される。除湿中は送風量が最も多く、除湿が終了すると自動的に段階的に送風量が減少するように送風ファン１４が制御装置７によって制御される。除湿後送風量が自動的に段階的に減少する作動パターンを「除湿・送風モード」と称する。除湿・送風モードは、就寝者がベッドパッド１１上に着床して就寝が開始されると自動的に除湿・送風モードとなり、タイマーで設定した所定時間経過後自動的に終了する。
【００２５】
図６に示すように、除湿・送風モードの時間は、送風量によって異なり、送風量大（概ね１５ｍ３〜２５ｍ３、好ましくは、２０ｍ３）、中（概ね１０ｍ３〜２０ｍ３、好ましくは、１５ｍ３）、小（概ね５ｍ３〜１５ｍ３、好ましくは、１０ｍ３）、最小（概ね１ｍ３〜１０ｍ３、好ましくは、５ｍ３）に対応して４種類に分けられる。例えば、送風量大の場合には、除湿送風ユニット１３が所定のＴ１（図６中、ＡＢ）時間除湿モードで作動し、その後送風量中に送風量を減少させてＴ２（図６中、ＣＤ）時間送風モードで作動する。送風量中の場合には、除湿送風ユニット１３が所定のＴ３（図６中、ＥＦ）時間除湿モードで作動し、その後送風量小に送風量を減少させてＴ４(図６中、ＧＨ)時間送風モードで作動する。送風量小の場合には、除湿送風ユニット１３が所定のＴ５（図６中、ＩＪ）時間除湿モードで作動し、その後送風量最小に送風量を減少させてＴ６（図６中、ＫＬ）時間送風モードで作動する。送風量最小は、前述の再生モードに対応している。なお、本実施形態では、除湿モードから送風モードへ移行する際に、送風量を例えば大から中へというように、１段減少させているが、これに限定されるものではなく、所定段階（例えば、２段階あるいは３段階）減少させてもよい。
【００２６】
就寝者が起床し、空気流通式敷寝具４が使用されていないときに、スイッチ等を用いて手動もしくはベットパッド上の荷重あるいは生体情報等をセンサ等の検出手段により検出して自動で前述の再生モードとし、除湿機１６のハウジング１６ａに密着したヒータ１７が除湿機１６を加熱し、吸着された水分を蒸発させて除湿機１６の除湿能力を、１つの除湿送風ユニット１３でも効率的に回復させる。あらかじめ設定された時間が経過すると、再生モードが自動的に終了する。
【００２７】
本実施形態によれば、ベッドパッド１１の内部に流入する空気が流入前に所定湿度に調節され、ベッドパッド１１の上方面に設けられた複数の空気放出口１１ｂから所定湿度に調節された空気が外部に放出され、除湿された所定温度の空気が直接就寝者に触れるため、十分な除湿効果が得られる。この場合、就寝者に向かって放出される空気は、就寝者が風邪をひかないような空気温度とするのが好ましい。
【００２８】
また、発汗量が最も多い就寝開始から所定時間（１〜２時間）に限定して除湿するため、連続除湿に比べ運転コストが抑えられる。
【符号の説明】
【００２９】
２    ベッド
３    マットレス
３ａ    上方面（垂直方向上方面）
４    空気流通式敷寝具
７    制御装置
１１    ベッドパッド
１１ｂ    空気放出口
１１ｉ    立体メッシュ（空気流通路）
１２    ダクト
１３    除湿送風ユニット
１６    除湿機
１６ｂ    基材
１７    水分吸着剤
【図１】
2011104215.tif 000003
【図２】
2011104215.tif 000004
【図３】
2011104215.tif 000005
【図４】
2011104215.tif 000006
【図５】
2011104215.tif 000007
【図６】
2011104215.tif 000008